(57)【要約】【課題】少ない個数の糸駒を載置可能な小型の糸立台を、ユーザのニーズに応じて複数個組み合わせることができるミシンおよび糸立装置を提供する。【解決手段】糸立部７の糸立台３０には２本の糸立棒３４と支柱４１が立設されている。支柱４１の上端部には２つの糸掛穴４５が形成された案内部材４０が固定される。糸掛穴４５は糸立棒３４の夫々に対応し、糸立棒３４の中心線の略延長線上に位置する。糸立台３０には糸立台６０が連結でき、案内部材４０には案内部材７０が連結できる。糸立台６０には３本の糸立棒６４が立設され、案内部材４０には３つの糸掛穴７５が形成されている。糸掛穴７５は糸立棒６４の夫々に対応し、糸立棒６４の中心線の略延長線上に位置する。【選択図】図６
2016063957.tif 000002
【特許請求の範囲】
【請求項１】
糸駒を載置可能な第一糸立台と、
前記第一糸立台に設けられ、糸駒の貫通穴に挿通可能な第一糸立棒と、
前記第一糸立台に設けられ、前記第一糸立台に載置される糸駒から夫々繰り出される上糸をミシンに案内する第一糸掛部を有する第一案内部材と、
前記第一糸立台に着脱可能に構成され、糸駒を載置可能な第二糸立台と、
前記第二糸立台に設けられ、糸駒の貫通穴に挿通可能な第二糸立棒と、
前記第一案内部材に着脱可能に構成され、前記第二糸立台に載置される糸駒から夫々繰り出される上糸を前記ミシンに案内する第二糸掛部を有する第二案内部材と
を備え、
前記第二糸立台が前記第一糸立台に装着され、且つ前記第二案内部材が前記第一案内部材に装着された場合に、前記第二糸掛部の夫々は、前記第二糸立棒の夫々の中心線の略延長線上で前記第二糸立棒から離れた位置に、前記第二糸立棒の夫々と対応して配置されることを特徴とするミシン。
【請求項２】
前記第一糸立台に設けられた第一係合部と、
前記第二糸立台に設けられ、前記第一係合部に対して係合および解除が可能な第一被係合部と、
前記第一案内部材に設けられた第二係合部と、
前記第二案内部材に設けられ、前記第二係合部に対して係合および解除が可能な第二被係合部と
を備えたことを特徴とする請求項１に記載のミシン。
【請求項３】
前記第一係合部と前記第一被係合部の一方は突部であり、前記第一係合部と前記第一被係合部の他方は前記突部が挿入して係合する穴部であることを特徴とする請求項２に記載のミシン。
【請求項４】
前記第一案内部材に設けられ、前記第一糸立台に載置される糸駒から夫々繰り出される前記上糸の端部を夫々保持可能な第一保持部材と、
前記第二案内部材に設けられ、前記第二糸立台に載置される糸駒から夫々繰り出される前記上糸の端部を夫々保持可能な第二保持部材と
を更に備えたことを特徴とする請求項１から３のいずれかに記載のミシン。
【請求項５】
前記第一案内部材は、前記上糸を切断可能な切断部材を更に備えたことを特徴とする請求項４に記載のミシン。
【請求項６】
糸駒を載置可能な第一糸立台と、
前記第一糸立台に設けられ、糸駒の貫通穴に挿通可能な第一糸立棒と、
前記第一糸立台に設けられ、前記第一糸立台に載置される糸駒から夫々繰り出される上糸をミシンに案内する第一糸掛部を有する第一案内部材と、
前記第一糸立台に着脱可能に構成され、糸駒を載置可能な第二糸立台と、
前記第二糸立台に設けられ、糸駒の貫通穴に挿通可能な第二糸立棒と、
前記第一案内部材に着脱可能に構成され、前記第二糸立台に載置される糸駒から夫々繰り出される上糸を前記ミシンに案内する第二糸掛部を有する第二案内部材と
を備え、
前記第二糸立台が前記第一糸立台に装着され、且つ前記第二案内部材が前記第一案内部材に装着された場合に、前記第二糸掛部の夫々は、前記第二糸立棒の夫々の中心線の略延長線上で前記第二糸立棒から離れた位置に、前記第二糸立棒の夫々と対応して配置されることを特徴とする糸立装置。
【請求項７】
前記第一糸立台に設けられた第一係合部と、
前記第二糸立台に設けられ、前記第一係合部に対して係合および解除が可能な第一被係合部と、
前記第一案内部材に設けられた第二係合部と、
前記第二案内部材に設けられ、前記第二係合部に対して係合および解除が可能な第二被係合部と
を備えたことを特徴とする請求項６に記載の糸立装置。
【請求項８】
前記第一係合部と前記第一被係合部の一方は突部であり、前記第一係合部と前記第一被係合部の他方は前記突部が挿入して係合する穴部であることを特徴とする請求項７に記載の糸立装置。
【請求項９】
前記第一案内部材に設けられ、前記第一糸立台に載置される糸駒から夫々繰り出される前記上糸の端部を夫々保持可能な第一保持部材と、
前記第二案内部材に設けられ、前記第二糸立台に載置される糸駒から夫々繰り出される前記上糸の端部を夫々保持可能な第二保持部材と
を更に備えたことを特徴とする請求項６から８のいずれかに記載の糸立装置。
【請求項１０】
前記第一案内部材は、前記上糸を切断可能な切断部材を更に備えたことを特徴とする請求項９に記載の糸立装置。
【発明の詳細な説明】
【技術分野】
【０００１】
本発明は、糸駒を載置可能な糸立台を備えるミシンおよび糸立装置に関する。
【背景技術】
【０００２】
従来、ミシンの縫針に供給される上糸が巻回された糸駒を複数載置することができる糸立台が知られている。例えば特許文献１に記載の糸立装置には、糸立台に５本の糸立棒が固定されており、最大で５つの糸駒を糸立台に載置することができる。このように、従来の糸立装置の糸立台には、ミシンの縫製において使用される上糸の種類に応じて糸駒の載置数を調整できるように、予め複数本の糸立棒が設けられていた。
【先行技術文献】
【特許文献】
【０００３】
【特許文献１】特開２０００−２４３５６号公報
【発明の概要】
【発明が解決しようとする課題】
【０００４】
しかしながら、特許文献１に記載の糸立装置は、例えば１〜２種類の上糸しか使用しないユーザにとって必要な個数以上の糸駒を載置可能であり、余分に大きかった。このためユーザは、糸立装置を配置するため、ミシンの周囲に余分に多くのスペースを確保する必要があった。
【０００５】
本発明は、少ない個数の糸駒を載置可能な小型の糸立台を、ユーザのニーズに応じて複数個組み合わせることができるミシンおよび糸立装置を提供することを目的とする。
【課題を解決するための手段】
【０００６】
本発明の第一態様に係るミシンは、糸駒を載置可能な第一糸立台と、前記第一糸立台に設けられ、糸駒の貫通穴に挿通可能な第一糸立棒と、前記第一糸立台に設けられ、前記第一糸立台に載置される糸駒から夫々繰り出される上糸をミシンに案内する第一糸掛部を有する第一案内部材と、前記第一糸立台に着脱可能に構成され、糸駒を載置可能な第二糸立台と、前記第二糸立台に設けられ、糸駒の貫通穴に挿通可能な第二糸立棒と、前記第一案内部材に着脱可能に構成され、前記第二糸立台に載置される糸駒から夫々繰り出される上糸を前記ミシンに案内する第二糸掛部を有する第二案内部材とを備え、前記第二糸立台が前記第一糸立台に装着され、且つ前記第二案内部材が前記第一案内部材に装着された場合に、前記第二糸掛部の夫々は、前記第二糸立棒の夫々の中心線の略延長線上で前記第二糸立棒から離れた位置に、前記第二糸立棒の夫々と対応して配置されることを特徴とする。
【０００７】
第一態様に係るミシンによれば、縫製に必要な糸駒の数が少なければ、ユーザは、第二糸立台を第一糸立台から取り外し、第一糸立台のみに糸駒を載置した状態で、ミシンを使用することができる。従って、ミシンの設置スペースを小さくできる。また、縫製に必要な糸駒の数が多ければ、ユーザは、第二糸立台を第一糸立台に装着し、且つ第二案内部材を第一案内部材に装着して、第一糸立台および第二糸立台に糸駒を載置した状態で、ミシンを使用することができる。
【０００８】
本発明の第二態様に係る糸立装置は、糸駒を載置可能な第一糸立台と、前記第一糸立台に設けられ、糸駒の貫通穴に挿通可能な第一糸立棒と、前記第一糸立台に設けられ、前記第一糸立台に載置される糸駒から夫々繰り出される上糸をミシンに案内する第一糸掛部を有する第一案内部材と、前記第一糸立台に着脱可能に構成され、糸駒を載置可能な第二糸立台と、前記第二糸立台に設けられ、糸駒の貫通穴に挿通可能な第二糸立棒と、前記第一案内部材に着脱可能に構成され、前記第二糸立台に載置される糸駒から夫々繰り出される上糸を前記ミシンに案内する第二糸掛部を有する第二案内部材とを備え、前記第二糸立台が前記第一糸立台に装着され、且つ前記第二案内部材が前記第一案内部材に装着された場合に、前記第二糸掛部の夫々は、前記第二糸立棒の夫々の中心線の略延長線上で前記第二糸立棒から離れた位置に、前記第二糸立棒の夫々と対応して配置されることを特徴とする。
【０００９】
第二態様に係る糸立装置によれば、ミシンの縫製に必要な糸駒の数が少なければ、ユーザは、第二糸立台を第一糸立台から取り外し、第一糸立台のみに糸駒を載置した状態で、糸立装置を使用することができる。従って、糸立装置の設置スペースを小さくできる。また、ミシンの縫製に必要な糸駒の数が多ければ、ユーザは、第二糸立台を第一糸立台に装着し、且つ第二案内部材を第一案内部材に装着して、第一糸立台および第二糸立台に糸駒を載置した状態で、糸立装置を使用することができる。
【図面の簡単な説明】
【００１０】
【図１】ミシン１の斜視図である。
【図２】糸立台３０の平面図である。
【図３】図２の一点鎖線Ａ−Ａにおいて矢視方向に見た糸立台３０の断面図である。
【図４】案内部材４０の平面図である。
【図５】案内部材４０の左側面図である。
【図６】糸立台６０を取り付けたミシン１の斜視図である。
【図７】糸立台６０の平面図である。
【図８】糸立台６０の正面図である。
【図９】図７の一点鎖線Ｂ−Ｂにおいて矢視方向に見た糸立台６０の断面図である。
【図１０】案内部材７０の平面図である。
【図１１】糸立台３０の係合部３８と糸立台６０の係合部６８との係合状態を示す断面図である。
【図１２】案内部材４０の係合部５１と案内部材７０の係合部８１との係合状態を示す平面図である。
【図１３】ミシン１の正面図である。
【図１４】ミシン１の右側面図である。
【図１５】糸立部１０７の斜視図である。
【図１６】糸立装置２０１の斜視図である。
【発明を実施するための形態】
【００１１】
以下、図面を参照し、本発明の一実施形態について説明する。まず、ミシン１の構成について説明する。以下の説明では、図１の上側、下側、左斜め下側、右斜め上側、左斜め上側、右斜め下側を、夫々、ミシン１の上側、下側、前側、後側、左側、右側と定義する。
【００１２】
図１に示すように、ミシン１は、支持部２、脚柱部３、およびアーム部４を主に備える。支持部２は、ミシン１の土台部であり、ミシン１全体を支持する。支持部２は、全体として平面視、略Ｕ字形状に形成される。支持部２は、一対の脚部２１，２２と、基台部２３とを備える。一対の脚部２１，２２は、夫々前後方向に延び、左右方向に並べて配置される。基台部２３は、脚部２１，２２夫々の後部側で、脚部２１と脚部２２との間に配置される。基台部２３は、左右方向に延び、脚部２１と脚部２２とを接続する。
【００１３】
基台部２３は、左右方向略中央に、前方へ延びる筒状のシリンダベッド１０を備える。シリンダベッド１０の上面は、加工布（図示略）が配置される面である。シリンダベッド１０の内部には、釜機構（図示略）が設けられている。釜機構は、シリンダベッド１０の先端部内部に配置される釜（図示略）を回転駆動する。釜は、下糸（図示略）が巻回されたボビン（図示略）を収容する。シリンダベッド１０の先端部上面には、平面視矩形状の針板１１が設けられている。針板１１は、釜の上方に配置される。針板１１には、針穴（図示略）が形成されている。針板１１の針穴には、後述する針棒の下端部に装着された縫針（図示略）が挿通される。
【００１４】
脚部２１，２２夫々の上面には、前後方向に延びる案内溝２４，２５が形成されている。案内溝２４，２５は、キャリッジ２６の前後方向への移動を案内する。キャリッジ２６は、左右方向に延び、一対の脚部２１，２２間に架け渡される。キャリッジ２６は、内部に移動機構（図示略）を備える。移動機構には、加工布を保持する刺繍枠（図示略）が装着可能である。移動機構は、刺繍枠を左右方向へ移動させる。ミシン１は、キャリッジ２６の前後方向への移動（即ち、移動機構全体の前後方向への移動）と、移動機構による刺繍枠の左右方向への移動とによって、刺繍枠を前後および左右方向に移動させる。
【００１５】
脚柱部３は基台部２３の後端部に設けられ、上方へ延びる。アーム部４は、脚柱部３の上端部から前方へ向けて、シリンダベッド１０に対向して延びる。アーム部４の上面には、糸立部７が設けられている。糸立部７は、上糸１５が巻回された複数の糸駒１３を載置する。糸立部７については後述する。
【００１６】
アーム部４の先端部は頭部５である。頭部５には、糸調子器１８、針棒（図示略）、針棒駆動機構（図示略）、天秤機構（図示略）等が設けられている。糸調子器１８は、頭部５上部に設けられ、糸立部７から供給される上糸１５に張力を付与する。針棒は、頭部５下端部から下方に延びる。針棒の下端部には、縫針（図示略）を装着可能である。縫針には、上糸１５が挿通される針穴（図示略）が形成されている。針棒駆動機構は、針棒を上下動させる。天秤機構は、針棒の上下動と調時して天秤（図示略）を上下動させる。縫製時、針棒（縫針）は釜と協働し、上糸１５を、釜が収容するボビンから引き出された下糸に絡める。天秤は、下糸に絡んだ上糸１５を針板１１上に引き上げる。
【００１７】
頭部５の右側には、操作部６が設けられている。操作部６は、液晶ディスプレイ、タッチパネル、スタート／ストップスイッチ等を備えている。液晶ディスプレイには、例えば、ユーザが指示を入力するための操作画面等、各種情報が表示される。タッチパネルは、ユーザからの指示を受け付ける。スタート／ストップスイッチは、縫製の開始または停止を指示するためのスイッチである。
【００１８】
次に、図１〜図５を参照し、糸立部７に構成について説明する。糸立部７は、糸立台３０と案内部材４０を備える。図１〜図３に示すように、糸立台３０は、下部が開放する箱状の部材である。糸立台３０は、前後方向よりも左右方向に長く、且つ上下方向に厚みを有する。糸立台３０は、平面視、前側の縁部が左右両側において夫々前方へ向けて円弧状に突出する。糸立台３０の角部は面取りされている。糸立台３０の上面３１で、左右方向の中央、且つ前後方向の略中央の位置には、支柱穴３２が形成されている。支柱穴３２には、案内部材４０の支柱４１（後述）の下端部が挿入される。
【００１９】
糸立台３０の上面３１で、支柱穴３２よりも左側且つ前側の位置と、支柱穴３２よりも右側且つ前側の位置とには、夫々、糸立棒穴３３が形成されている。２つの糸立棒穴３３は、夫々、上面３１で円弧状に突出する部分の円弧の中心位置に設けられている。２つの糸立棒穴３３の夫々には、２本の糸立棒３４（図１参照）夫々の下端部が嵌められて、固定される。２本の糸立棒３４は、夫々、糸立台３０から上方へ向けて延び、上端部がテーパ状に形成されている。糸立棒３４には、糸駒１３の貫通穴１４が挿通される。なお、図１では、左側の糸立棒（図示略）に、糸駒１３の貫通穴１４が挿通されている状態を示している。このように、糸立台３０は、上面３１に、糸駒１３を立てた状態、即ち貫通穴１４の中心線を上下方向に沿わせた状態で、糸駒１３を載置する。また、糸立台３０の上面３１で、２つの糸立棒穴３３と支柱穴３２との夫々の間の位置には、一対の固定穴３５が形成されている。一対の固定穴３５には、固定ネジ３６（図１参照）が挿通される。アーム部４上面にはネジ穴（図示略）が設けられている。固定ネジ３６がネジ穴に締結されることによって、糸立台３０は、アーム部４上に固定される。
【００２０】
図２、図３に示すように、糸立台３０の後面３７には、後側へ向けて突出する一対の係合部３８が設けられている。一対の係合部３８は、夫々、平面視で一対の固定穴３５の後方に位置する。一対の係合部３８には、夫々、上部を開放する穴部３９が形成されている。穴部３９が設けられた係合部３８の形状は、ポケット状を呈する。後面３７は、穴部３９形成位置において下方に開口する。係合部３８は、後述する糸立台６０の係合部６８と係合し、糸立台３０と糸立台６０とを連結することができる。
【００２１】
図１、図４、図５に示すように、案内部材４０は、支柱４１、腕支え４２、案内腕４３、糸掛穴４５、Ｏリング４７、糸通し部材４９、切断部材５６を備える。支柱４１は、案内腕４３に設けられた糸掛穴４５を、糸立台３０の上方に配置する。支柱４１は、上下方向に延びる棒材である。前述したように、支柱４１は、下端部が糸立台３０の支柱穴３２（図２参照）に挿入されて、糸立台３０に固定される。支柱４１の上端部には、腕支え４２が固定される。腕支え４２は略直方体形状であり、前部に案内腕４３が設けられている。腕支え４２と案内腕４３とは、一体に形成されている。
【００２２】
案内腕４３は、左右方向に長い板状の部材である。案内腕４３の厚み方向は、前後方向に配置される。案内腕４３の左右方向の長さは、２本の糸立棒３４間の長さより長く、糸立台３０の左右方向の長さより短い。案内腕４３の上下方向の長さは、腕支え４２の上下方向の長さと同じである。案内腕４３は、上下方向の中央よりも上側に鍔部４４を有する。鍔部４４は、案内腕４３の前側および後側で夫々突出し、且つ左右方向において案内腕４３と同じ長さに延びる。鍔部４４は、案内腕４３の補強リブとして作用する。案内腕４３の左右両側の端部には、厚み方向に貫通する糸掛穴４５が夫々形成されている。糸掛穴４５は、糸駒１３から繰り出された上糸１５を糸調子器１８に案内する経路において、上糸１５を通すための穴である。２つの糸掛穴４５の夫々は、２本の糸立棒３４の夫々と対応して設けられる。
【００２３】
案内腕４３の左右両側の端部の上面で、２つの糸掛穴４５夫々の上部には、上方へ向けて突出する突出部４６が設けられている。各々の突出部４６の形状は、先端部よりも基端部側がくびれた略Ｔ字形状である。突出部４６夫々のくびれた部分には、ゴム製のＯリング４７が嵌められる。Ｏリング４７の下面は、突出部４６によって案内腕４３の上面に接触した状態に維持される。Ｏリング４７の下面と案内腕４３上面との間に、上糸１５の端部を挿入すると、Ｏリング４７が僅かに弾性変形し、その弾性力によって上糸１５が比較的弱い力で挟まれて保持される。
【００２４】
腕支え４２の上部には、糸通し部材４９が設けられる。糸通し部材４９は断面円形の線材である。糸通し部材４９の前端部は、円環状に曲げ加工した円環部４８が形成されている。糸通し部材４９の後端部は、腕支え４２の上部後端部にネジ５０で固定されている。このように、円環部４８は、案内腕４３の前方へ向けて突出して配置されている。円環部４８は上部が僅かに開口し、上糸１５を通すことができる。糸駒１３から繰り出され、糸掛穴４５に通された上糸１５は、円環部４８に通されて、糸調子器１８に案内される。
【００２５】
腕支え４２の内部には、後部に開放する穴部５２（図４参照）が形成されている。平面視で、腕支え４２の前後方向略中央より後側は、前側よりも左右方向に短い。腕支え４２の左右両側の側壁部の夫々には、前後方向に延びるスリット５３が形成されている。スリット５３は、腕支え４２の前後方向略中央よりも後側の部分に設けられ、夫々後部の開口に繋がる。各々のスリット５３の後端部には、スリット５３を上下方向に架橋する係止片５５が夫々設けられている。左側の係止片５５は、腕支え４２の左側壁部から左側に突出する。右側の係止片５５は、腕支え４２の右側壁部から右側に突出する。腕支え４２の前後方向略中央よりも後側の部分の左右両側の後端部には、夫々、後方へ向けて延びる可撓腕５４が設けられている。左右の可撓腕５４は、夫々、左右のスリット５３との間に間隙を有する。各々の可撓腕５４の後端は、係止片５５よりも前側に位置する。穴部５２、スリット５３、係止片５５および可撓腕５４は、係合部５１を構成する。係合部５１は、後述する案内部材７０の係合部８１と係合し、案内部材４０と案内部材７０とを連結することができる。
【００２６】
腕支え４２の前側下部には、切断部材５６が設けられている。図５に示すように、切断部材５６の下部には、下端から上方へ向けて切り欠き状に形成され、切断部材５６を左右方向に貫通するスリット部５７が設けられている。切断部材５６内には、切断刃５８が設けられる。切断刃５８の刃先は、スリット部５７内に配置される。切断刃５８は、スリット部５７内に挿入される上糸１５を切断することができる。
【００２７】
図６に示すように、上記構成のミシン１の糸立部７は、糸立台３０に糸立台６０を連結し、且つ案内部材４０に案内部材７０を連結することができる。この構成により、糸立部７は、糸駒１３を載置する個数を増やすことができる。図６〜図９に示すように、糸立台６０は、下部が開放する箱状の部材である。糸立台６０は、前後方向よりも左右方向に長く、且つ上下方向に厚みを有する。糸立台６０の左右方向の長さは、糸立台３０の左右方向の長さよりも長い。糸立台６０は、平面視、左右両側の縁部が夫々円弧状に形成されている。糸立台６０の角部は面取りされている。
【００２８】
糸立台６０の上面６１には、３つの糸立棒穴６３が形成されている。糸立棒穴６３は、左右方向に一列に並んで配置される。左右の糸立棒穴６３は、夫々、上面６１で円弧状に形成された部分の円弧の中心位置に設けられる。中央の糸立棒穴６３は、左右の糸立棒穴６３間の中央の位置に設けられる。３つの糸立棒穴６３の夫々には、３本の糸立棒６４（図６参照）夫々の下端部が嵌められて、固定される。糸立棒６４は、夫々、糸立台６０から上方へ向けて延び、上端部がテーパ状に形成されている。糸立台６０は、糸立台３０と同様に、糸立棒６４に糸駒１３の貫通穴１４を挿通させ、糸駒１３を立てた状態で載置する。なお、図６では、左側の糸立棒（図示略）に、糸駒１３の貫通穴１４が挿通されている状態を示している。糸立台６０は、平面視で中央の糸立棒穴６３の後側の位置に、下方へ向けて突出する突出部６５（図８参照）を備える。突出部６５の先端は、糸立台６０の下端から突出する。アーム部４上面には係合穴（図示略）が設けられている。糸立台６０は、糸立台３０と連結するとき、突出部６５の先端が係合穴に挿入され、アーム部４に対する位置が決められる。
【００２９】
図７〜図９に示すように、糸立台６０の前面６７には、一対の係合部６８が設けられている。係合部６８は、糸立台３０と糸立台６０とが連結する際に、係合部３８と係合する部位である。一対の係合部６８は、平面視で、３つの糸立棒穴６３間に夫々位置する。左右方向において、一対の係合部６８は、糸立台３０の一対の係合部３８間と略同じ間隔であるように設けられている。一対の係合部６８には、夫々、凹部６８Ａと突部６８Ｂとが形成されている。凹部６８Ａは、糸立台６０の前側の壁部が下端において切り欠かれて形成された部位である。具体的には、凹部６８Ａは正面視略Ｕ字状であり、下端側が糸立台６０の底面に開放されている。突部６８Ｂは、凹部６８Ａ内の上端から下方へ向けて突出する部位である。突部６８Ｂは左右両側の端部が後方へ突出し、上下に延びるリブ構造を有する。突部６８Ｂの左右方向の大きさは、糸立台３０の係合部３８の穴部３９の左右方向の大きさより僅かに小さい。突部６８Ｂ内には、掛留部６８Ｃが形成されている。掛留部６８Ｃは、突部６８Ｂ内が正面視で略逆Ｕ字状に切り欠かれて形成された部位である。掛留部６８Ｃは、下端が突部６８Ｂに固定されており、上端が前後方向に撓むことが可能である。掛留部６８Ｃの上端には、前面６７よりも前側に膨出する膨出部６８Ｄが設けられている。
【００３０】
図６に示すように、案内部材７０は、腕支え７２、案内腕７３、糸掛穴７５、Ｏリング７７を備える。図６、図１０に示すように、腕支え７２は厚みのある板状の部材であり、平面視、後側が二股に分かれた略Ｙ字形状を有する。腕支え７２の前端部には、係合部８１が設けられている。係合部８１の詳細は、後述する。腕支え７２の二股部分の両端部には、上側に突出する一対の腕支持部７２Ａが夫々設けられている。
【００３１】
図６に示すように、一対の腕支持部７２Ａは、夫々、上方且つ前方へ延び、先端部に案内腕７３が固定される。案内腕７３は、案内腕４３と同様の板状の部材であり、案内腕４３よりも左右方向に長く延びる。案内腕７３の左右方向の長さは、左右両端の糸立棒６４間の長さより長く、糸立台６０の左右方向の長さより短い。案内腕７３は、一対の腕支持部７２Ａ夫々の先端にネジ７３Ａで固定されている。案内腕７３も、案内腕４３と同様に、補強リブとして作用する鍔部７４を有する。案内腕７３の左右両側の端部および中央の部分には、厚み方向に貫通する３つの糸掛穴７５が夫々形成されている。糸掛穴７５は、糸立台６０上に載置される糸駒１３から繰り出された上糸１５を糸調子器１８に案内する経路において、上糸１５を通すための穴である。３つの糸掛穴７５の夫々は、３本の糸立棒３４の夫々と対応して設けられる。なお、腕支え７２の二股部分は、糸立台６０に載置された糸駒１３から繰り出された上糸１５が、糸駒１３の略真上に位置する糸掛穴７５に至るときに、接触しない形状になっている。
【００３２】
案内腕７３の左右両側の端部および中央の部分の上面で、３つの糸掛穴７５夫々の上部には、上方へ向けて突出する突出部７６が設けられている。各々の突出部７６は、突出部４６と同様の略Ｔ字状に形成されている。突出部７６の夫々には、案内腕７３上面との間にゴム製のＯリング７７が嵌められる。Ｏリング７７は、Ｏリング４７の作用と同様に、案内腕７３上面との間で上糸１５を比較的弱い力で挟んで保持することができる。
【００３３】
腕支え７２は、前端部の上面が上側へ盛り上がり、前面７２Ｂが大きく形成されている。図１０に示すように、腕支え７２の前面７２Ｂには、腕支え４２の係合部５１と係合する係合部８１が形成されている。係合部８１は厚みのある板状の部材であり、前方へ突出する。係合部８１は、支持突起８２と、一対のバネ片８３を備える。支持突起８２は、前面７２Ｂの略中央から前方へ突出する。一対のバネ片８３は、支持突起８２の前端における左右両側の端部から夫々後方へ折り返して延びる。一対のバネ片８３の後端部は、平面視、支持突起８２の前端における左右両端部よりも、夫々左右に広がって配置される。バネ片８３は、後端部が夫々左右方向に撓み、支持突起８２に対して近接および離間することができる。バネ片８３の上下方向の厚みは、係合部５１のスリット５３の上下方向の幅よりも僅かに小さい。
【００３４】
上記構成の糸立台６０が糸立台３０に連結される場合、糸立台６０は、係合部６８を前側に向けた状態で糸立台３０の後部上方に配置される。糸立台６０の突出部６５は、アーム部４上面の係合穴（図示略）の真上に配置される。図３、図９に示すように、糸立台６０が下方に降ろされると、糸立台６０の突出部６５がアーム部４上面の係合穴に挿入される。糸立台６０が糸立台３０に対して位置決めされ、係合部６８の突部６８Ｂが係合部３８の穴部３９に挿入される。挿入過程において膨出部６８Ｄが糸立台３０の後面３７に当接すると、掛留部６８Ｃの上端部は後側へ撓む。図１１に示すように、掛留部６８Ｃが穴部３９内に更に挿入されると、膨出部６８Ｄは、穴部３９内で糸立台３０の後壁底面よりも下方に位置し、後面３７との当接状態が解除される。このとき、掛留部６８Ｃは、上端部の撓みが元の状態に戻る。膨出部６８Ｄは後面３７よりも前側に配置される。このように、係合部３８と係合部６８とは互いに係合状態となる。糸立台６０は、少なくとも自重で、掛留部６８Ｃが穴部３９に挿入された状態を維持することができる。ここで、例えば何らかの外力によって、掛留部６８Ｃが穴部３９に対して上方へ位置ずれする場合、糸立台３０の後壁底面は、穴部３９内で膨出部６８Ｄに当接し、掛留部６８Ｃの抜けを抑制する。このように、掛留部６８Ｃの上端部が撓まない限り、係合部３８と係合部６８とは、係合状態を維持することができる。
【００３５】
案内部材７０が案内部材４０に連結される場合、案内部材７０は、案内部材４０の後方に配置される。図４、図１０に示すように、案内部材７０が前方へ移動されると、係合部８１の支持突起８２が係合部５１の穴部５２内に挿入される。係合部８１の一対のバネ片８３は、側面が係合部５１の一対の係止片５５に当接し、夫々の後端部が支持突起８２側に撓められる。図１２に示すように、支持突起８２が穴部５２内に更に挿入されると、バネ片８３は、後端面８３Ａが係止片５５よりも前側に位置し、係止片５５との当接状態が解除される。このとき、バネ片８３は、後端部の撓みが元の状態に戻る。バネ片８３の後端部は、スリット５３（図５参照）から穴部５２外へ突出する。バネ片８３の後端面８３Ａは、係止片５５の前面に対向する。このように、係合部５１と係合部８１とは互いに係合状態となる。ここで、例えば何らかの外力によって、支持突起８２が穴部５２の後方へ位置ずれする場合、係止片５５は、前面がバネ片８３の後端面８３Ａに当接し、バネ片８３の抜けを防止する。このように、バネ片８３が撓まない限り、係合部５１と係合部８１とは、係合状態を維持することができる。
【００３６】
前述したように、案内部材４０の左右２つの糸掛穴４５は、夫々、糸立台３０の２本の糸立棒３４の夫々に対応して設けられている。また、糸立台３０に糸立台６０が連結され、且つ案内部材４０に案内部材７０が連結された状態において、案内部材７０の３つの糸掛穴７５は、夫々、糸立台６０の３本の糸立棒６４の夫々に対応して設けられている。図１３、図１４に示すように、２つの糸掛穴４５は、夫々、対応する糸立棒３４の中心線の略延長線（一点鎖線Ｃで示す。）上で、糸立棒３４から離れた位置に配置される。同様に、３つの糸掛穴７５は、夫々、対応する糸立棒６４の中心線の略延長線（一点鎖線Ｄで示す。）上で、糸立棒６４から離れた位置に配置される。ここで、略延長線上の位置とは、糸立棒３４，６４夫々の中心線の延長線を中心軸とする所定直径の仮想円筒内の位置であるとする。所定直径は、例えば、糸駒１３の直径である。糸掛穴４５，７５が、夫々対応する糸立棒３４，６４の中心線の略延長線上に位置することによって、糸駒１３に巻回された上糸１５をスムーズに繰り出すことができる。より望ましくは、糸掛穴４５，７５の穴中心が、夫々対応する糸立棒３４，６４の中心線の延長線上に位置するとよい。
【００３７】
案内部材４０の２つの糸掛穴４５は、糸立台３０に立設する支柱４１に腕支え４２を介して固定された案内腕４３に、夫々形成されている。即ち、２つの糸掛穴４５と、夫々に対応する糸立棒３４とは、互いに糸立台３０に対して位置決められている。故に、本実施形態では、２つの糸掛穴４５を、夫々に対応する糸立棒３４の中心線の延長線上に位置させることができる。また、案内部材７０の３つ糸掛穴７５は、腕支え４２に係合する腕支え７２に固定された案内腕７３に、夫々形成されている。腕支え４２と腕支え７２とが係合することによって、各々の糸掛穴７５は、支柱４１を介し、糸立台３０に対して位置決めされる。また、糸立台６０が糸立台３０に直接係合するので、３つの糸立棒６４の位置は、糸立台３０に対して位置決めされる。よって、３つの糸掛穴７５と、夫々に対応する糸立棒６４とは、互いに糸立台３０に対して位置決めされる。故に、本実施形態では、３つの糸掛穴７５を、夫々に対応する糸立棒６４の中心線の延長線上に位置させることができる。
【００３８】
糸駒１３は、糸立棒３４，６４に貫通穴１４を挿通させて、糸立台３０，６０上に載置することができる。糸駒１３から繰り出される上糸１５は、糸立棒３４，６４に対応する糸掛穴４５，７５に、後側から前側へ通し、円環部４８を経由して縫針（図示略）に案内される。上糸１５を交換する場合、上糸１５は円環部４８から外され、対応する糸掛穴４５の上部に位置するＯリング４７の下面と案内腕４３の上面との間、或いは対応する糸掛穴７５の上部に位置するＯリング７７の下面と案内腕７３の上面との間に挟まれる。そして、上糸１５の端部は手繰られて、切断部材５６の切断刃５８によって切断される。切断された上糸１５の端部は、Ｏリング４７，７７の弾性力によって保持される。このように、縫製に使用しない糸駒１３の上糸１５の端部を保持しておくことができる。
【００３９】
糸立台６０は、係合部３８と係合部６８との係合を解除することによって、糸立台３０から容易に取り外すことができる。膨出部６８Ｄの上面は前方且つ下方へ傾斜する。故に、膨出部６８Ｄが穴部３９内で糸立台３０の後壁底面に当接した状態で、更に、掛留部６８Ｃの上端部が撓むのに十分な外力が加えられると、膨出部６８Ｄは後面３７に乗り上げることができる。その状態で、掛留部６８Ｃが穴部３９に対して上方へ移動することで、糸立台６０の係合部６８は、糸立台３０の係合部３８との係合を解除することができる。
【００４０】
同様に、案内部材７０は、係合部５１と係合部８１との係合を解除することによって、案内部材４０から容易に取り外すことができる。一対の可撓腕５４の後端部が、左右方向において互いに近づく方向に押圧されると、可撓腕５４の後端部に当接する一対のバネ片８３の後端部は、左右方向において互いに近づく方向に撓められる。一対のバネ片８３の後端部間の長さが一対の係止片５５間の長さより小さくなると、バネ片８３の後端部は、係止片５５間に移動する。バネ片８３の側面は、後方且つ左右外向きに傾斜する。故に、可撓腕５４の後端部が更に左右方向に近づく方向に押圧されると、可撓腕５４の後端部はバネ片８３の側面を滑り、バネ片８３を後ろ向きに押圧する。支持突起８２が穴部５２に対して後方へ移動することで、案内部材７０の係合部８１は、案内部材４０の係合部５１との係合を解除することができる。
【００４１】
以上説明したように、縫製に必要な糸駒１３の数が少なければ、ユーザは、糸立台６０を糸立台３０から取り外し、糸立台３０のみに糸駒１３を載置した状態で、ミシン１を使用することができる。従って、ミシン１の設置スペースを小さくできる。また、縫製に必要な糸駒１３の数が多ければ、ユーザは、糸立台６０を糸立台３０に装着し、糸立台３０および糸立台６０に糸駒１３を載置した状態で、ミシン１を使用することができる。
【００４２】
また、糸掛穴４５と糸掛穴７５は、夫々、糸立棒３４と糸立棒６４の中心線の略延長線上に位置する。故に、糸駒１３に巻回された上糸１５は、糸掛穴４５または糸掛穴７５に向かってスムーズに繰り出される。
【００４３】
案内部材４０は糸立台３０に設けられているので、糸立棒３４と糸掛穴４５とは互いに位置が決められる。故に、糸掛穴４５は、確実に、糸立棒３４の中心線の略延長線上に位置することができる。糸立台３０に糸立台６０を装着し、案内部材４０に案内部材７０を装着することで、糸立棒６４と糸掛穴７５との位置を決めることができる。故に、糸立台６０が糸立台３０に装着され、案内部材７０が案内部材４０に装着された場合に、糸掛穴７５は、確実に、糸立棒６４の中心線の略延長線上に位置することができる。
【００４４】
糸立台６０は、穴部３９に突部２８Ｂを挿入する係合によって、糸立台３０に容易に装着することができる。また、穴部３９から突部２８Ｂを抜き出すだけで、容易に糸立台３０との係合を解除し、取り外すことができる。同様に、案内部材７０は、穴部３９に突部２８Ｂを挿入する係合によって、案内部材４０に容易に装着することができる。また、穴部３９から突部２８Ｂを抜き出すだけで、容易に案内部材４０との係合を解除し、取り外すことができる。
【００４５】
Ｏリング４７とＯリング７７は、夫々、上糸１５の端部を保持することで、縫製に使用しない上糸１５が糸駒１３から繰り出されることを防止することができる。
【００４６】
縫製に使用しない上糸１５を切断部材５６によって切断し、上糸１５の端部を短くすることで、縫製に使用する上糸１５と、縫製に使用しない上糸１５とが絡んでしまうことを防止できる。
【００４７】
上記実施形態に対して種々の変更を加えることが可能である。例えば、図１５に示す、糸立部１０７のように、案内部材４０と案内部材１７０とが係合する構成でなくともよい。この場合、糸立台１６０の上面１６１に、支柱１７１を設ける。支柱１７１は、支柱４１よりも上下方向に長い。支柱１７１の上端部には、左右方向に延びる腕支え１７２が固定される。案内腕７３は、腕支え１７２の両端に設けた腕支持部７２Ａに固定される。糸立台３０と糸立台１６０との係合は、本実施形態と同様である。３つの糸掛穴７５と、夫々に対応する糸立棒６４とは、支柱１７１によって、互いに糸立台１６０に対して位置決めることができる。故に、３つの糸掛穴７５を、夫々に対応する糸立棒６４の中心線の延長線上に位置させることができる。
【００４８】
糸立台３０の糸立棒３４の本数は、２本に限定するものでなく、１本でもよいし、３本以上であってもよい。糸立台６０の糸立棒６４の本数は、３本に限定するものでなく、１本でも２本でもよいし、あるいは４本以上であってもよい。これらの場合、糸掛穴４５，７５の個数は、糸立棒３４，６４の本数に対応して設けるようにする。
【００４９】
また、図１６に示す、糸立装置２０１のように、本実施形態の糸立部７を、ミシン１とは独立に設け、糸駒１３から上糸１５をミシン１に供給する構成にしてもよい。糸立部７は、例えば、台状の台座部２０２上に立設された支持棒２０３の上端部に設けた板状の固定台２０４の上面に、糸立台３０を固定する。糸立台６０と案内部材７０は、夫々、本実施形態と同様に、糸立台３０と案内部材４０に係合することによって、装着可能とすればよい。もちろん、糸立装置２０１に、上述した糸立部１０７を適用し、糸掛穴７５の位置と糸立棒６４の位置とを糸立台１６０に対して位置決めしてもよい。
【００５０】
本実施形態では、糸立台３０が、本発明の「第一糸立台」に相当する。糸立棒３４が、本発明の「第一糸立棒」に相当する。糸掛穴４５が、本発明の「第一糸掛部」に相当する。案内部材４０が、本発明の「第一案内部材」に相当する。糸立台６０が、本発明の「第二糸立台」に相当する。糸立棒６４が、本発明の「第二糸立棒」に相当する。糸掛穴７５が、本発明の「第二糸掛部」に相当する。案内部材７０が、本発明の「第二案内部材」に相当する。係合部３８が、本発明の「第一係合部」に相当する。係合部６８が、本発明の「第一被係合部」に相当する。係合部５１が、本発明の「第二係合部」に相当する。係合部８１が、本発明の「第二被係合部」に相当する。Ｏリング４７が、本発明の「第一保持部材」に相当する。Ｏリング７７が、本発明の「第二保持部材」に相当する。
【符号の説明】
【００５１】
１                      ミシン
１３                      糸駒
１４                      貫通穴
１５                      上糸
３０，６０                糸立台
３４，６４                糸立棒
３８，５１，６８，８１    係合部
３９                      穴部
４０，７０                案内部材
４５，７５                糸掛穴
４６                      突出部
４７，７７                Ｏリング
５６                      切断部材
６８Ｂ                    突部
２０１                    糸立装置
【図１】
2016063957.tif 000003
【図２】
2016063957.tif 000004
【図３】
2016063957.tif 000005
【図４】
2016063957.tif 000006
【図５】
2016063957.tif 000007
【図６】
2016063957.tif 000008
【図７】
2016063957.tif 000009
【図８】
2016063957.tif 000010
【図９】
2016063957.tif 000011
【図１０】
2016063957.tif 000012
【図１１】
2016063957.tif 000013
【図１２】
2016063957.tif 000014
【図１３】
2016063957.tif 000015
【図１４】
2016063957.tif 000016
【図１５】
2016063957.tif 000017
【図１６】
2016063957.tif 000018